(57)【要約】【課題】  文書データ等の画像データを外部から入力するとき、その画像データに使用されるフォントデータが入力側で不足していても、その不足フォントデータを画像データとともに入力できるようにする。【解決手段】  フォントデータ記憶部３３は予めフォントデータを記憶する。入力ポート５１は外部から画像データおよびこれに用いるフォントデータを入力する。フォントデータ追加制御部３２は、入力ポート５１に画像データが入力されたとき当該画像データに用いるそのフォントデータを認識し、このフォンントデータ中にフォントデータ記憶部３３にない不足フォントデータがあれば、それをフォントデータ記憶部３３に追加記憶制御する。【選択図】  図１
2007265086.tif 000002
【特許請求の範囲】
【請求項１】
フォントデータを記憶したフォントデータ記憶部と、
外部から画像データおよびこれに用いるフォントデータを入力する入力部と、
この入力部に前記画像データが入力されたとき当該画像データに用いる前記フォントデータを認識し、このフォントデータのうち前記フォントデータ記憶部にない不足フォントデータを前記フォントデータ記憶部に追加記憶制御するフォントデータ追加制御部と、
を具備することを特徴とするフォント追加制御装置。
【請求項２】
前記画像データはアドレス帳である請求項１記載のフォント追加制御装置。
【請求項３】
前記フォントデータを表示態様又は画像形成態様に応じてフォーマット変換制御するフォント制御部を有する請求項１又は２記載のフォント追加制御装置。
【請求項４】
予めフォントデータの記憶されたフォントデータ記憶部にない不足フォントデータを追加制御するフォント追加制御コンピュータにおいて、
入力部から画像データおよびこれに用いるフォントデータを入力する入力処理と、
前記画像データが入力されたとき、これに用いる前記フォントデータのうち前記フォントデータ記憶部にない前記不足フォントデータを前記フォントデータ記憶部に追加記憶制御するフォントデータ追加処理と、
を実行するフォント追加制御プログラム。
【発明の詳細な説明】
【技術分野】
【０００１】
本発明はフォント追加制御装置およびフォント追加制御プログラムに係り、例えば、プリンタ、複写機、ファクシミリ等の複合機能を有する複合機（ＭＦＰ）に搭載して好適するフォント追加制御装置およびフォント追加制御プログラムに関する。
【背景技術】
【０００２】
近年、この種の複合機（ＭＦＰ）では、日本語以外に英語、韓国語、中国語といった複数の言語での使用が可能な機器が提供されるようになっており、例えば、以下に示すような構成が知られている。
【０００３】
すなわち、図３に示すように、入力したプリンタ（画像）データに対してプリンタ制御部１において印刷フォントデータ記憶部３からのフォントデータによって印刷画像データを作成して画像制御部５に出力し、入力部７を介して外部メモリ等から入力した画像（文書）データを画像制御部５に出力し、パネル制御部９を介した表示パネル１１からの指示に基づき、画像制御部５にてそれら印刷画像データ又は読込み画像データを印刷処理部１３に出力制御して印刷させたり、送信制御部１５に出力制御し、送信フォントデータ記憶部１７からの送信フォントデータよって送信元や送信先の名称やＩＤを送信画像制御部１９にてヘッダやフッタに付加し、外部のネットワーク（図示省略）にＦＡＸ送信するとともに、画像制御部５からの種々の表示データをパネル制御部９を介して表示パネル１１に表示する構成を有していた。
【０００４】
図３中の符号２１は表示パネル１１に表示する表示フォントデータを記憶しパネル制御部９で読み書き制御される表示フォントデータ記憶部であり、符号２３は原稿データを読込んで画像データとして画像制御部５に出力するスキャナー処理部である。
【０００５】
このような複合機（ＭＦＰ）において、複数の言語に対応させる場合、印刷フォントデータ記憶部３、送信フォントデータ記憶部１７、表示フォントデータ記憶部２１に、所望の言語フォントデータを各々記憶しておかないと、印刷画像データを作成できなかったり、画像データに文字を付加したり表示パネル１１で表示ができないが、複数の言語フォントデータを予め記憶して備えるにはかなりの費用が必要であるうえ、ユーザ毎に必要とする言語が異なる。
【０００６】
そこで、従来の複合機（ＭＦＰ）では、機器を設置する国の言語に加えて１〜２の主要な言語フォントを標準言語（例えば日本語や英数字）として表示フォント記憶部２１に記憶させ、主に表示パネル１１において複数言語を切換え表示可能に構成し、パネル操作における支障を少なくして対応している。
【０００７】
なお、複数の言語に対応可能なこの種のものとしては、例えば特開平７−１１５４９０号公報（特許文献１）および特開平９−１０７４５３号公報（特許文献２）がある。
【特許文献１】特開平７−１１５４９０号公報
【特許文献２】特開平９−１０７４５３号公報
【発明の開示】
【発明が解決しようとする課題】
【０００８】
しかしながら、上述した複合機では、表示フォント記憶部２１にオプション言語フォントデータを追加すれば表示パネル１１での追加言語の表示が可能にはなるが、表示フォントデータ記憶部２１に記憶されていないフォントデータを用いる文書データ例えばアドレス帳等が入力されると、依然として表示できない難点がある。
【０００９】
しかも、オプション言語フォントデータを追加するには、内部記憶部のかなりの記憶容量が必要となるうえ、入力した画像データには使用しないフォントデータまで記憶されるから不経済となり易い。
【００１０】
特に、複合機では、ネットワークを介したデータの送受信を行うために、複数言語に対応したアドレス帳が必要となり、一部の言語アドレスが使用できないと極めて不便である。
【００１１】
また、印刷フォントデータ記憶部３および送信フォントデータ記憶部１７にもフォントデータが存在しないので、入力部７から入力したアドレス帳等の表示ができないのみならず、送信画像データにフォントデータも付加できず、もし付加しようとすれば標準言語の付加のみに限定される難点がある。
【００１２】
近年、上述した複合機は各国で使用されるようになるとともにネットワークを介して接続されるようになってきたため、複数言語に対応するための上述した課題の改善が強く望まれている。
【００１３】
本発明はそのような課題を解決するためになされたもので、文書データ等の画像データを入力しても、その画像データに使用されるフォントデータが入力側で不足していても、その不足フォントデータを画像データとともに取り込み可能なフォント追加制御装置およびフォント追加制御プログラムの提供を目的とする。
【課題を解決するための手段】
【００１４】
そのような課題を解決するために本発明に係るフォント追加制御装置は、フォントデータを記憶したフォントデータ記憶部と、外部から画像データおよびこれに用いるフォントデータを入力する入力部と、この入力部にその画像データが入力されたとき当該画像データに用いるフォントデータを認識し、このフォントデータのうちそのフォントデータ記憶部にない不足フォントデータをそのフォントデータ記憶部に追加記憶制御するフォントデータ追加制御部とを具備するものである。
【００１５】
また、本発明では、上記画像データとしてアドレス帳とすることが可能である。
【００１６】
さらに、本発明では、上記フォントデータを表示態様又は画像形成態様に応じてフォーマット変換制御するフォント制御部を有する構成も可能である。
【００１７】
そして、本発明に係るフォント追加制御プログラムでは、予めフォントデータの記憶されたフォントデータ記憶部にない不足フォントデータを追加制御するフォント追加制御コンピュータにおいて、入力部から画像データおよびこれに用いるフォントデータを入力する入力処理と、その画像データが入力されたとき、これに用いるフォントデータのうちフォントデータ記憶部にない不足フォントデータをそのフォントデータ記憶部に追加記憶制御するフォントデータ追加処理とを実行するものである。
【発明の効果】
【００１８】
このような本発明に係るフォント追加制御装置およびフォント追加制御プログラムは、予めフォントデータをフォントデータ記憶部に記憶し、外部からその画像データとこれに用いるフォントデータを入力部から入力し、その入力部にその画像データが入力されたとき、フォントデータ追加制御部にて当該画像データに用いるそれらフォントデータを認識し、これらフォントデータのうちフォントデータ記憶部にない不足フォントデータをそのフォントデータ記憶部に追加記憶制御するから、入力した文書データ等の画像データについて、これに使用されるフォントデータが入力側で不足していてもそれを画像データとともに入力可能となり、画像データの表示等が可能となる。
【００１９】
また、上記画像データとしてアドレス帳とする構成では、画像データ量が少なく、フォントデータ記憶部にない不足フォントデータも少ないので、必要な記憶容量が小さくて済み、動作も速い利点がある。
【００２０】
さらに、上記フォントデータを表示態様又は画像形成態様に応じてフォーマット変換制御するフォント制御部を有する構成では、上記フォントデータを表示させたり画像データに付加せたり、共通のフォントデータを態様に応じて種々に使用することが可能である。
【発明を実施するための最良の形態】
【００２１】
以下、本発明の実施の形態を図面を参照して説明する。
【００２２】
図１は本発明に係るフォント追加制御装置の実施の形態を複合機とともに示すブロック図である。
【００２３】
図１において、本発明のフォント追加制御装置を搭載した複合機（画像形成装置）は、概略的に画像制御部３０を中心にして第１の入力部４０、第２の入力部５０、第３の入力部６０、表示部７０、第１の出力部８０および第２の出力部９０を有している。
【００２４】
画像制御部３０は、フォント制御部３１、フォントデータ追加制御部３２およびフォントデータ記憶部３３を有して形成されており、詳細な機能は後述する。
【００２５】
第１の入力部４０はプリンタ制御部４１を有しており、図示しないコンピュータからプリンタ（画像）データをプリンタ制御部４１に入力し、このプリンタ制御部４１においてフォント制御部３１を介して得た後述するフォントデータによって印刷画像データを作成し、画像制御部３０に出力する機能を有する。
【００２６】
第２の入力部５０は、画像制御部３０の制御の下、図示しないＵＳＢメモリ等の外部記憶媒体からの例えばアドレス帳等の画像（文書）データとともにこれに用いるフォントデータを入力して画像制御部３０に出力する入力ポート５１を有している。
【００２７】
すなわち、ＵＳＢメモリには、画像データとこれを形成する文字等に対応するフォントデータが格納されている。
【００２８】
第３の入力部６０は従来公知のスキャナー処理部６１を有し、原稿データを読み取って電子的な画像データに変換して画像制御部３０に出力する従来公知の機能を有している。
【００２９】
表示部７０は、パネル表示機能およびタッチ式入力機能を有する従来公知の表示パネル７１と、この表示パネル７１に表示する言語毎の複数のキーボード配列データを記憶するキーボードデータ記憶部７２と、そのキーボード配列データに基づき表示キーボード画像を作成して表示パネル７１に表示制御するパネル制御部７３とを有して形成されている。
【００３０】
キーボードデータ記憶部７２には、予め日本語等の標準言語のキーボード配列データとこのキー位置に用いるキーフォントデータが記憶されている。
【００３１】
パネル制御部７３は、操作者のタッチ入力により、表示パネル７１から入力指示された指示情報を画像制御部３０に出力する機能も有している。
【００３２】
第１の出力部８０は、画像制御部３０から出力された第１〜第３の入力部４０、５０、６０からの画像データを用紙に印刷して出力する従来公知の印刷エンジン等である。
【００３３】
第２の出力部９０は、フォント入り画像データを所定の送信用信号に変換するとともに所定のプロトコルで外部のネットワーク（図示省略）に、例えばＦＡＸ送信する送信制御部９１であり、フォント制御部３１から出力された送信フォントデータを、送信画像データのヘッダやフッタに送信元や送信先の名称やＩＤとして付加する送信画像制御部９２を有している。
【００３４】
画像制御部３０は、上述したフォント制御部３１、フォントデータ追加制御部３２およびフォントデータ記憶部３３において、言語フォントデータを読み書き可能に記憶したり読出し制御する他、入力ポート５１から画像データを入力制御するとき、当該画像データの表示その他に用いるための文字等に対応するフォントデータを認識してフォントデータ記憶部３３を検索し、フォントデータ記憶部３３にない不足フォントデータがあればそれのみを当該文字等に関連付けてフォントデータ記憶部３３に追加記憶制御する機能を有している。
【００３５】
画像制御部３０は、動作状態や種々の選択指示内容を表示する表示データを作成してパネル制御部７３に出力し、表示パネル７１からの指示に基づき、プリンタ制御部４１、スキャナー処理部６１又は入力ポート５１からの画像データを印刷画像データとして印刷処理部８１に出力したり、送信画像データとして送信制御部９１に出力する機能の他、後述する機能を有している。
【００３６】
画像制御部３０のフォントデータ追加制御部３２およびフォントデータ記憶部３３は、図２に示すような構成を有している。
【００３７】
フォントデータ追加制御部３２は、フォント制御部３１に接続された文字処理部３２１と、この文字処理部３２１に接続された文字作成処理部３２２および文字キャッシュ制御部３２３とを有する一方、フォント制御部３１に接続された外部フォント制御部３２４と、この外部フォント制御部３２４に接続された外部フォント登録処理部３２５とを有し、フォントデータ記憶部３３に対してフォントデータを読書き制御する機能を有している。
【００３８】
フォントデータ追加制御部３２は、入力ポート５１から画像データが入力されたとき、当該画像データに用いるフォントデータについてフォントデータ記憶部３３内を検索し、不足フォントデータがあればこれのみをフォントデータ記憶部３３に追加記憶制御するもので、上述した画像制御部３０の主要な機能を有している。
【００３９】
フォントデータ記憶部３３は、文字作成処理部３２２に接続された内部フォントデータ記憶部３３１、外部フォントデータ記憶部３３２およびキャッシュデータ記憶部３３３を有しており、外部フォントデータ記憶部３３２は外部フォント登録処理部３２５に、キャッシュデータ記憶部３３３は文字キャッシュ制御部３２３にも各々接続されており、文字や記号等の符号に対応したフォントデータをその文字等に関連付けて読み書き可能に記憶するものである。
【００４０】
内部フォントデータ記憶部３３１には日本語等が標準言語フォントデータとして予め記憶されており、フォントデータ追加制御部３２は、外部フォントデータ記憶部３３２に対して複数種類の言語フォントデータを当該言語毎に管理して記憶制御している。
【００４１】
そのため、フォント制御部３１は、画像データに用いるフォントデータについて、入力側である画像制御部３０すなわち内部および外部フォントデータ記憶部３３１、３３２内に不足フォントデータがあれば、フォントデータ追加制御部３２を介し、上述したように不足フォントデータのみを外部フォントデータ記憶部３３２に追加記憶させるようになっている。
【００４２】
そして、フォント制御部３１からの指示に基づき、文字コードに対応するフォントデータを取得する場合には、文字処理部３２１が、文字作成処理部３２２を介して文字コードに対応するフォントデータを内部又は外部フォントデータ記憶部３３１、３３２から読み出してフォント制御部３１に出力する一方、一度読み出したフォントデータを文字キャッシュ制御部３２３を介してフォントキャッシュデータ記憶部３３３に記憶するとともに、フォント制御部３１からの再読み出し指示に基づき、文字キャシュ制御部３２３を介して文字コードに対応するフォントデータを読み出してフォント制御部３１に出力するようになっている。
【００４３】
フォント制御部３１は、取得した当該フォントデータを、表示パネル１１にて表示する表示態様に応じてフォーマット変換してパネル制御部７３に出力制御する一方、印刷画像データの画像形成態様に応じてフォーマット変換してプリンタ制御部４１に出力制御するとともに、アドレス帳その他文書データとしての送信画像データにおけるヘッダーやフッターへの付加態様に応じてフォーマット変換して送信画像制御部９１に出力制御する機能を有している。
【００４４】
すなわち、フォント制御部３１は、取得した当該フォントデータから表示態様や、印刷画像データ又は送信画像データ等の画像データに用いる態様に応じて各々変換制御する機能も有している。
【００４５】
次に、上述したフォント追加制御装置の動作を簡単に説明する。
【００４６】
まず、言語フォントデータの追加登録動作を説明する。
【００４７】
例えば、第２の入力部５０の入力ポート５１に、画像（文書）データおよびこれに用いる言語フォントデータを格納したうＵＳＢメモリ等の外部記憶媒体が接続されると、表示パネル７１からの指示に基づく画像制御部３０の制御の下、それら画像データやフォントデータが画像制御部３０に入力される。
【００４８】
画像制御部３０では、フォント制御部３１がフォントデータを認識して、文字処理部３２１および文字作成処理部３２２を介して内部および外部フォントデータ記憶部３３１、３３２内に対して不足フォントデータの有無を検索し、不足フォントデータがあると、外部フォント制御部３２４および外部フォント登録処理部３２５を介して不足フォントデータのみを文字コードに関連付けて外部フォントデータ記憶部３３２に追加記憶する。
【００４９】
そして、入力された画像データを例えば表示パネル７１に表示する場合、表示パネル７１における選択指示に基づき、パネル制御部７３がキーボードデータ記憶部７２から所望のキーボード配列データ等を読み出し表示する一方、フォント制御部３１が、文字処理部３２１、文字作成処理部３２２を介した文字コードに対応するフォントデータを外部フォントデータ記憶部３３２、又は文字キャッシュ制御部３２３を介したキャッシュデータ記憶部３３３から取得し、画像データの表示態様にフォーマット変換してパネル制御部７３に出力し、追加フォントデータを含めて画像表示される。
【００５０】
ところで、フォントデータを用いてプリンタデータから印刷画像データを形成する場合には、フォント制御部３１がプリンタ制御部４１からの指示に基づき、文字処理部３２１、文字作成処理部３２２を介して対応するフォントデータを内部や外部フォントデータ記憶部３３１、３３２、又は文字キャッシュ制御部３２３を介したキャッシュデータ記憶部３３３から取得し、印刷画像データの形成態様に応じてフォーマット変換し、変換フォントデータをプリンタ制御部４１に出力する。
【００５１】
プリンタ制御部４１では、変換フォントデータを用いて印刷画像データを形成して画像制御部３０へ出力する。送信画像データに付加するフォントデータについても同様である。
【００５２】
このように構成された本発明のフォント追加制御装置では、予めフォントデータを記憶したフォントデータ記憶部３３と、外部から画像データおよびこれに用いるフォントデータを入力する入力ポート（入力部）５１と、この入力ポート（入力部）５１にその画像データが入力されたとき当該画像データに用いるフォントデータを認識し、この認識フォントデータのうちフォントデータ記憶部３３にない不足フォントデータのみをフォントデータ記憶部３３に追加記憶制御するフォントデータ追加制御部３２とを具備するから、入力した文書データ等の画像データについて、入力側においてこれに使用されるフォントデータが不足していても、その不足フォントを画像データとともに取り込んで使用可能となり、入力画像データの表示や印刷等に支障が生じない。
【００５３】
また、上記画像データがアドレス帳であれば、画像データ量が少なく、フォントデータ記憶部３３にない不足フォントデータも極めて少ないし、既に入力側に保存されたフォントデータを取込まないので、追加に必要な記憶容量が小さくて済み、動作も遅くならない利点がある。
【００５４】
さらに、上記フォントデータを表示態様又は画像形成態様に応じてフォーマット変換制御するフォント制御部３１を有するから、文字フォントデータの追加変更が簡単になるうえ、文字フォントデータを追加変更してもその文字フォントデータを用いて、表示データ、印刷画像データや送信画像データを簡単に作成することが可能である。
【００５５】
そして、フォントデータ追加制御部３２が、複数種類の言語フォントデータを当該言語毎に管理して記憶制御するから、複数の言語フォントデータの追加変更が簡単になるうえ、変更した言語フォントデータによって印刷画像データや送信画像データを簡単に作成することが可能となる利点があり、複数国における使用を促進できる。
【００５６】
また、本発明では、入力部として第２の入力部５０の入力ポート５１を用いたが、第１、第３の入力部４０、６０を入力部とする構成も可能である。
【００５７】
なお、本発明に係るフォント追加制御装置では、文字フォントデータに限らず、文字、記号その他符号についてのフォントデータにおいて実施可能である。
【００５８】
そして、本発明に係る追加制御プログラムにつき言及すれば、フォントデータ追加制御部３２およびフォントデータ記憶部３３を有するフォント追加制御コンピュータにおいて、入力部から画像データとこれに用いるフォントデータを入力する入力処理と、その画像データが入力されたとき、これに用いるそれらフォントデータのうちフォントデータ記憶部にない不足フォントデータをそのフォントデータ記憶部に追加記憶制御するフォントデータ追加処理とを実行するものである。
【図面の簡単な説明】
【００５９】
【図１】本発明に係るフォント追加制御装置の実施の一形態を複合機とともに示すブロック図である。
【図２】図１中のフォントデータ追加制御部の構成例を示すブロック図である。
【図３】従来の複合機の一例を示すブロック図である。
【符号の説明】
【００６０】
１  プリンタ制御部
３  印刷フォントデータ記憶部
５  画像制御部
７  入力部
９  パネル制御部
１１  表示パネル
１３  印刷処理部
１５  送信制御部
１７  送信フォントデータ記憶部
１９  送信制御部
２１  表示フォントデータ記憶部
２３  スキャナー処理部
３０  画像制御部
３１  フォント制御部
３２  フォントデータ追加制御部
３２１  文字処理部
３２２  文字作成処理部
３２３  文字キャッシュ制御部
３２４  外部フォント制御部
３２５  外部フォント登録処理部
３３  フォントデータ記憶部
３３１  内部フォントデータ記憶部
３３２  外部フォントデータ記憶部
３３３  キャッシュデータ記憶部
４０  第１の入力部
４１  プリンタ制御部
５０  第２の入力部
５１  入力ポート
６０  第３の入力部
６１  スキャナー処理部
７０  表示部
７１  表示パネル
７２  キーボードデータ記憶部
７３  パネル制御部
８０  第１の出力部
８１  印刷処理部
９０  第２の出力部
９１  送信制御部
９２  送信画像制御部
【図１】
2007265086.tif 000003
【図２】
2007265086.tif 000004
【図３】
2007265086.tif 000005